(57)【特許請求の範囲】
【請求項１】
軟包装袋の外面にスリーブ材を接着して装着してなる複合容器であって、前記スリーブ材の両側辺部である対向するスリーブ折れ線の全辺の両側にくの字（逆くの字）状にそれぞれ押し込み外折れ線を設け、該押し込み外折れ線で形成された内側部分をそれぞれ押し込み部とし、該押し込み部を内方に押し込むことによって、前記軟包装袋を開口し、かつ、開口した状態を保持し自立性を付与した複合容器において、前記押し込み外折れ線を上端及び下端が前記スリーブ折れ線上で交差しないように設けたことを特徴とする複合容器。
【請求項２】
前記スリーブ折れ線の両側に設けられた、一対の前記押し込み外折れ線の上端間及び下端間の長さが同一であることを特徴とする請求項１記載の複合容器。
【請求項３】
前記スリーブ折れ線の両側に設けられた、一対の前記押し込み外折れ線の上端間と下端間の長さが異なることを特徴とする請求項１記載の複合容器。
【請求項４】
前記スリーブ材の高さを前記軟包装袋の高さの１／２以上の高さとしたことを特徴とする請求項１〜３のいずれかに記載の複合容器。
【請求項５】
前記軟包装袋の外面と前記スリーブ材の内面を部分的に接着したことを特徴とする請求項１〜４のいずれかに記載の複合容器。
【請求項６】
前記スリーブ材の前記対向するスリーブ折れ線間にスリーブ補助折れ線を設けたことを特徴とする請求項１〜５のいずれかに記載の複合容器。
【請求項７】
前記スリーブ材を扁平状に折り畳んだときの形状が、両側辺となる対向するスリーブ折れ線が平行である長方形としたことを特徴とする請求項１〜６のいずれかに記載の複合容器。
【請求項８】
前記スリーブ材を扁平状に折り畳んだときの形状が、両側辺となる対向するスリーブ折れ線が長方形ではなくテーパーの付いた形状となり上方あるいは下方に広がる形状としたことを特徴とする請求項１〜６のいずれかに記載の複合容器。
【発明の詳細な説明】
【技術分野】
【０００１】
本発明は、開封状態を保持することが可能で、自立性を付与した軟包装袋とスリーブ材とからなる複合容器に関する。
【背景技術】
【０００２】
従来より、軟包装袋は横に倒した状態で保管、輸送等を行うことができ、かつ、コストが安いということから食品類、菓子類をはじめ多くの商品を包装する容器として使用されている。また、この軟包装袋に自立性を持たせた角底袋、スタンディングパウチ等も種々の内容物に対して使用されてきている。さらに、軟包装袋と板紙カートンあるいは段ボール箱とからなる複合容器には、バッグインカートン、バッグインボックス等があって、両素材の特性を巧みに組み合わせて実用化されている。これらは当然自立性を有している（例えば、特許文献１参照）。
【先行技術文献】
【特許文献】
【０００３】
【特許文献１】特開平１１−２３６０５４号公報
【発明の概要】
【発明が解決しようとする課題】
【０００４】
しかしながら、軟包装袋は開封した後に、開封状態を保持することが難しく、特に、内容物が消費されて収容されている量が減ってくると、さらにその傾向が強くなるという問題がある。また、軟包装袋を手で持ちながら内容物を消費する際に、取り扱いにくいという問題もある。さらに、自立性を持たせるためには、角底袋、スタンディングパウチ等の特殊構造の軟包装袋とするか、バッグインカートン、バッグインボックス等の複合容器とする必要があり、いずれの形態も構造が複雑になり、コストが高くなるという問題がある。
【０００５】
本発明は、前述の問題点に鑑みてなされたもので、軟包装袋と外周に装着したスリーブ
材とならなる複合容器であって、開口した状態で保持することができ、そして、自立性を付与することができ、かつ、コストアップを抑えた複合容器を供給することを目的とする。
【課題を解決するための手段】
【０００６】
前記課題を解決するために、本発明による複合容器は、軟包装袋の外面にスリーブ材を接着して装着してなる複合容器であって、前記スリーブ材の両側辺部である対向するスリーブ折れ線の全辺の両側にくの字（逆くの字）状にそれぞれ押し込み外折れ線を設け、該押し込み外折れ線で形成された内側部分をそれぞれ押し込み部とし、該押し込み部を内方に押し込むことによって、前記軟包装袋を開口し、かつ、開口した状態を保持し自立性を付与した複合容器において、前記押し込み外折れ線を上端及び下端が前記スリーブ折れ線上で交差しないように設けたことを特徴とする複合容器である。
【発明の効果】
【００１０】
本発明によれば、軟包装袋と板紙によるスリーブ材を組み合わせることによって、軟包装袋を開封した後に、開封状態を保持することができ、特に、内容物が消費されて収容されている量が減ってきた状態でも、開封状態を保持することができ、軟包装袋を手で持ちながら内容物を取り出して消費する際に、取り扱いやすいという効果を有している。
【００１１】
また、コストが高くなることなく、簡単に自立性を持たせることができるという効果を有している。
【図面の簡単な説明】
【００１２】
【図１】本発明による複合容器を説明するための参考斜視図である。
【図２】本発明による複合容器を構成する各部材を説明するための参考斜視図である。
【図３】本発明による複合容器を説明するためのブランクの参考展開図である。
【図４】本発明による複合容器を説明するための複合容器の参考斜視図およびブランクの参考展開図である。
【図５】本発明による複合容器を説明するための複合容器の参考斜視図およびブランクの参考展開図である。
【図６】本発明による複合容器を構成するスリーブ材に設けるスリーブ補助折れ線の形状を説明するための参考図である。
【図７】本発明による複合容器の製造方法の一例を説明するための参考概略図である。
【図８】本発明による複合容器を実際に使用する方法を説明するための参考図である。
【発明を実施するための形態】
【００１３】
以下、本発明を図面を用いてさらに詳しく説明する。図１は、本発明による複合容器を説明するための参考斜視図である。本発明による複合容器１は、軟包装袋１０と板紙からなるスリーブ材２０とからなり、軟包装袋１０の外周に、スリーブ材２０を巻き付けた形態であり、図１−ａに示すように、扁平状の軟包装袋１０に密着してスリーブ材２０が折り畳まれた状態で軟包装袋１０外周に装着されている。軟包装袋１０には、扁平状の包装袋が使用されている。
【００１４】
また、扁平状に折り畳んだスリーブ材２０の二つのスリーブ折れ線ａ、ｂには、それぞれ（押し込み外折れ線により）押し込み部Ａ、Ｂが設けられており、この扁平状の状態からスリーブ材２０の両側端部の押し込み部Ａ、Ｂを内方に同時に押し込むことによって、スリーブ材２０が扁平状から略凸レンズ形状に開き、図１−ｂに示すように、そのままの状態を保持することができる。また、このスリーブ材２０を開くと同時に、開封した軟包装袋１０も開くことができ、軟包装袋１０も開口した状態のまま保持することができる。さらに、軟包装袋１０を自立させることができる。
【００１５】
図２は、本発明による複合容器１を構成する各部材を説明するための参考斜視図である。まず、軟包装袋１０は、図２−ａに示すように、一般的な扁平状の包装袋であり、上縁部に切り取り線等の開封手段１１を設けている。軟包装袋１０の材料は、特に限定されるものではないが、基本素材としてプラスチックフィルムないしシートを使用し、具体的には、例えば、ポリエステル系樹脂、ポリアミド系樹脂、ポリアラミド系樹脂、ポリオレフィン系樹脂、ポリカーボネート系樹脂、ポリスチレン系樹脂、ポリアセタール系樹脂、フッ素系樹脂等を使用することができる。このプラスチックフィルムないしシートとしては、未延伸フィルム、あるいは一軸方向または二軸方向に延伸した延伸フィルムのいずれのものでも使用することができる。また、一般的には、上記のような基材フィルムに、さらに、製袋する際に、ヒートシール性フィルムを積層した積層体を使用するものである。本発明において、ヒートシール性フィルムとしては、例えば、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー、ポリブテンポリマー、ポリエチレンまたはポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、その他等の樹脂のフィルムないしシートを使用することができる。
【００１６】
軟包装袋１０は、上記のような積層体を使用し、その内層のヒートシール性樹脂層の面を対向させて、それを折り重ねるか、あいはその二枚を重ね合わせ、そして、その周辺端部をヒートシールしてシール部を設けて袋状に形成する。その製袋方法としては、上記の積層体を、その内層の面を対向させて折り曲げるか、あるいはその二枚を重ね合わせ、更にその外周の周辺端部を、例えば、側面シール型、二方シール型、三方シール型、四方シール型、封筒貼りシール型、合掌貼りシール型（ピローシール型）、ひだ付シール型、平底シール型、角底シール型等のヒートシール形態によりヒートシールして、本発明にかかる種々の形態の軟包装袋１０を製造することができる。上記において、ヒートシールの方
法としては、例えば、バーシール、回転ロールシール、ベルトシール、インパルスシール、高周波シール、超音波シール等の公知の方法で行うことができる。
【００１７】
一方、スリーブ材２０は、主に板紙からなる材料を使用して二つのスリーブ折れ線ａ、ｂで折り畳んでスリーブ状に形成する。折り畳まれたスリーブ材２０の形状は、図２−ｂに示すように、軟包装袋１０に合わせて両スリーブ折れ線ａ、ｂが平行である長方形とし、軟包装袋１０の外側に密着して装着できる形状としている。なお、スリーブ材２０の形状は、図２−ｃに示すように、長方形ではなくテーパーの付いた形状としてもよく、上方に広がる形状とすることにより、軟包装袋１０の開口をしやすくすることができ、一方、下方に広がる形状とすることにより、複合容器１が自立しやすくすることができる。
【００１８】
そして、両側辺であるスリーブ折れ線ａ、ｂのそれぞれ所定の位置には、折れ線、切れ線等により押し込み部Ａ、Ｂを設けている。この押し込み部Ａ、Ｂを同時に内方に押し込むことにより、両側辺部に凹部が形成されて扁平状のスリーブ材２０を略凸レンズ形状に開口することができ、そして、開口した状態を保持することができる形状としている。
【００１９】
この押し込み部Ａ、Ｂの第一の形状としては、図３−ａのブランクの参考展開図に示すように、ブランク２０Ａは、内後板２１、前板２２、外後板２３を、スリーブ折れ線ａ、ｂを介して連設している。そして、スリーブ折れ線ａ、ｂには、スリーブ折れ線ａ、ｂをそれぞれ対称軸として、両側辺部に押し込み外折れ線ｍ、ｎをくの字および逆くの字に設けて、その内側部分をそれぞれ菱形の押し込み部Ａ、Ｂとしている。この押し込み部Ａ内には、押し込み外折れ線ｍ、ｎの略中央部同士を結んでスリーブ折れ線ａに直交する押し込み補助折れ線ｏを設けている。同様に、押し込み部Ｂ内には、押し込み外折れ線ｍ´、ｎ´の略中央部同士を結んでスリーブ折れ線ｂに直交する押し込み補助折れ線ｏ´を設けている。この押し込み補助折れ線ｏ、ｏ´を中に折り込むことにより、開口した状態を保持することができる。なお、この押し込み外折れ線ｍ、ｎおよび押し込み外折れ線ｍ´、ｎ´は、円弧状に設けてもよい、また、本例では、押し込み部Ａ、Ｂをスリーブ折れ線ａ、ｂの全幅に渡って設けているが、スリーブ折れ線ａ、ｂの一部に設けてもよい。また、押し込み外折れ線ｍ、ｎ、ｍ´、ｎ´、押し込み補助折れ線ｏ、ｏ´の形状は、罫線以外にも、ミシン目、リード罫、半切れ等としてもよい。
【００２０】
また、第一の形状の類似形としては、図３−ｂに示すように、押し込み外折れ線ｍ、ｎをそれぞれ円弧状にスリーブ折れ線ａ、ｂに交差しない形状に設けて、両端同士が交差しないその内側部分をそれぞれ押し込み部Ａ、Ｂとしてもよい。この形状にすることによって、自立がしやすくなる。
【００２１】
さらに、図３−ｃに示すように、押し込み外折れ線ｍ、ｎの上部をそれぞれ円弧状にスリーブ折れ線ａ、ｂに交差しない形状に設け、下部を直線でスリーブ折れ線ａ、ｂに交差しない形状に設けて、両端同士が交差しないその内側部分をそれぞれ押し込み部Ａ、Ｂとしてもよい。この形状にすることによって、さらに、自立がしやすくなる。
【００２２】
この押し込み部Ａ、Ｂの第二の形状としては、図４−ａのブランクの参考展開図に示すように、ブランク２０Ｂは、ブランク２０Ａと同様に、内後板２１、前板２２、外後板２３を、スリーブ折れ線ａ、ｂを介して連設している。そして、スリーブ折れ線ａの略中央部には、直交する押し込み切れ線ｐを設け、その両端から斜め下方にそれぞれ押し込み外折れ線ｑ、ｒをスリーブ折れ線ａ上で交わるように設けて、その内側部分を二等辺三角形の押し込み部Ａとしている。同様に、スリーブ折れ線ｂの略中央部には、直交する押し込み切れ線ｐ´を設け、その両端から斜め下方にそれぞれ押し込み外折れ線ｑ´、ｒ´をスリーブ折れ線ｂ上で交わるように設けて、その内側部分を二等辺三角形の押し込み部Ｂとしている。図４−ｂに示すように、この押し込み部Ａ、Ｂを押し込んで、押し込んだスリーブ折れ線ａ、ｂの部分を中に逆に折り込むことにより、開口した状態を保持することができる。
【００２３】
この押し込み部Ａ、Ｂの第三の形状としては、図５−ａのブランクの参考展開図に示すように、ブランク２０Ａは、ブランク２０Ａと同様に、内後板２１、前板２２、外後板２３を、スリーブ折れ線ａ、ｂを介して連設している。そして、スリーブ折れ線ａには、スリーブ折れ線ａに直交し、互いに平行な２本の押し込み切れ線ｓ、ｔを設け、その両端同士を結んでそれぞれ押し込み外折れ線ｕ、ｖを設けて、その内側部分を四辺形の押し込み部Ａとしている。同様に、スリーブ折れ線ｂには、スリーブ折れ線ａに直交し、互いに平行な２本の押し込み切れ線ｓ´、ｔ´を設け、その両端同士を結んでそれぞれ押し込み外折れ線ｕ´、ｖ´を設けて、その内側部分を四辺形の押し込み部Ｂとしている。図５−ｂに示すように、この押し込み部Ａ、Ｂを押し込んで、押し込んだスリーブ折れ線ａ、ｂの部分を中に逆に折り込むことにより、開口した状態を保持することができる。
【００２４】
なお、第一の形状、第二の形状、そして、第三の形状、いずれの形状においても、図６−ａに示すように、スリーブ材２０の前板２２、内後板２１あるいは外後板２３にスリーブ折れ線ａ、ｂに平行にスリーブ補助折れ線ｃを設けることができる。このスリーブ補助折れ線ｃを設けることによって、複合容器１を容易に扁平状から略凸レンズ形状に膨らませることができる。また、このスリーブ補助折れ線ｃは上部あるいは下部に部分的に設けてもよく、図６−ｂに示すように、上部に部分的に設けた場合には、軟包装袋１０の開口を広くすることができ、図６−ｃに示すように、下部に部分的に設けた場合には、複合容器１を自立しやすくすることができる。さらに、複数本設けることができる。
【００２５】
また、第二の形状、第三の形状において、押し込み切れ線ｐ、あるいは、押し込み切れ線ｓ、ｔ、ｓ´、ｔ´を設けるが、これらの切れ線に沿って抜き孔を設けてもよい。この抜き孔を設けることによって、押し込み部Ａ、Ｂが押し込みやすくなるという効果がある。
【００２６】
上記の軟包装袋１０の外周に密着して上記のスリーブ材２０を折り畳まれた状態で軟包装袋１０外周に装着して一体として複合容器１としているが、複合容器１の下辺においては、軟包装袋１０がスリーブ材２０から露出しないようにし、好ましくは、スリーブ材２０の下辺と軟包装袋１０の下辺を同一位置とする。一方、上辺においては、軟包装袋１０が開封しやすいように、軟包装袋１０の上辺に設けた切り取り線等の開封手段を露出させる。上記の条件を満たせばその範囲内で特に限定されるものではないが、複合容器１の自立性を確実なものとするために、スリーブ材２０の高さを、軟包装袋１０の高さの１／２以上の高さとすることが好ましい。
【００２７】
図７は、本発明による複合容器の製造工程の一例を説明するための参考概略図である。まず、公知の方法で軟包装袋１０に内容物を充填包装し、密封シールした状態とする。つぎに、この軟包装袋１０の外周の所定の位置にスリーブ材２０を装着する。装着する方法は、図７−ａに示すように、帯状のスリーブ材２０のブランクを軟包装袋１０に巻き付けて軟包装袋１０の後面において、スリーブ材２０の内後板２１と外後板２３とを重なった部分で貼り合わせる。この時、スリーブ材２０と軟包装袋１０とを部分的に接着するが、その接着部分Ｈは、スリーブ材２０と軟包装袋１０の中央の縦状部分とすることが好ましい。全面で貼り合わせると、かえって開口しにくくなる。ついで、図７−ｂに示すように、内後板２１に外後板２３を重ねて接着部分ｈで貼り合わせて軟包装袋１０の外側にスリーブ材２０を装着した複合容器１を完成する。この接着部分Ｈ、ｈの形状は一例を示しており、本例の形状に特に限定されるものではない。
【００２８】
上記の軟包装袋１０とスリーブ材２０に対する印刷は、従来から公知のいかなる印刷方
式を採用してもよい。また、積層体の場合、印刷層を最外層に設けても、また印刷層が中間層になる、いわゆる裏刷り方式を採用してもよい。本発明による複合容器１は、図１にその外観を示すように、軟包装袋１０に板紙を材料としたスリーブ材２０が装着された形状であるので、ディスプレー効果があり、通常の軟包装袋に比較して店頭に於ける訴求効果が大きくなる。
【００２９】
図８は、本発明による複合容器１を実際に使用する方法を説明するための参考図である。まず、図８−ａに示すように、本発明による複合容器１の軟包装袋１０の上縁部に設けた開封手段１１である切り取り線を引き裂いて軟包装袋１０を開封する。この状態でも内容物を取り出すことは可能である。つぎに、図８−ｂに示すように、スリーブ材２０の両側辺部に設けた押し込み部Ａ、Ｂを内方に同時に押し込み、スリーブ材２０を開口すると同時に軟包装袋１０を開口することができる。この開口した状態で内容物を容易に取り出すことができる。そのまま押し込み部Ａ、Ｂを扁平状の元に戻して再封することができるが、本発明による複合容器１の特徴は、図８−ｃに示すように、開口した状態でそのまま自立させることができることである。
【産業上の利用可能性】
【００３０】
本発明による複合容器は、スナック食品、菓子、健康食品等の製品に適用することができ、特に、スティック状の内容物を収納する容器として好適に使用できる形状である。
【符号の説明】
【００３１】
１      複合容器
１Ａ    複合容器（第一の形状）
１Ｂ    複合容器（第二の形状）
１Ｃ    複合容器（第三の形状）
１０      軟包装袋
１１      開封手段
２０      スリーブ材
２０Ａ    ブランク（第一の形状）
２０Ｂ    ブランク（第二の形状）
２０Ｃ    ブランク（第三の形状）
２１      内後板
２２      前板
２３      外後板
Ａ      押し込み部
Ｂ      押し込み部
ａ      スリーブ折れ線
ｂ      スリーブ折れ線
ｃ      スリーブ補助折れ線
ｍ、ｍ´  押し込み外折れ線
ｎ、ｎ´  押し込み外折れ線
ｏ、ｏ´  押し込み補助折れ線
ｐ、ｐ´  押し込み切れ線
ｑ、ｑ´  押し込み外折れ線
ｒ、ｒ´  押し込み外折れ線
ｓ、ｓ´  押し込み切れ線
ｔ、ｔ´  押し込み切れ線
ｕ、ｕ´  押し込み外折れ線
ｖ、ｖ´  押し込み外折れ線
Ｈ、ｈ    接着部分
【図１】
0005527298.tif 000002
【図２】
0005527298.tif 000003
【図３】
0005527298.tif 000004
【図４】
0005527298.tif 000005
【図５】
0005527298.tif 000006
【図６】
0005527298.tif 000007
【図７】
0005527298.tif 000008
【図８】
0005527298.tif 000009